(57)【要約】【課題】シャッターケース内に取付けられる警報装置であって、取付工具を特段必要とせず、容易にシャッターケース内に取付けることができて、しかも、警報ブザーを雨水等から防ぐことができる警報装置と、前記警報ブザーの音量を充分に確保し、外部に伝わることができる構造のシャッターケースを提供することを目的とするものである。【解決手段】シャッターケース内に設けられる警報装置であって、前記警報装置は、警報ブザーと前記警報ブザーを取付けるための取付部材とから成り、前記取付部材は、前記シャッターケース内に掛着させるフック部と、警報ブザーを雨水から防ぐ雨水防御壁とを有する構造とした。【選択図】図６
2006283351.tif 000002
【特許請求の範囲】
【請求項１】
シャッターケース内に設けられる警報装置であって、前記警報装置は、警報ブザーと前記警報ブザーを取付けるための取付部材とから成り、
前記取付部材は、前記シャッターケース内に掛着させるフック部と、
警報ブザーを雨水から防ぐ雨水防御壁とを有することを特徴とする警報装置。
【請求項２】
請求項１の警報装置において、前記フック部は、先端部片と上部片と支持片とから成る略コの字形状部を有していることを特徴とする警報装置。
【請求項３】
前記警報ブザーとシャッターケース内の巻取りシャフトとの間に前記雨水防御壁を設けて、かつ、前記警報ブザー下方側から、シャッタースラットが通過するシャッターケース下部に位置する開口部までとの間には前記警報ブザーの警報音が通るための空間部を形成して、請求項１または請求項２のいずれか１項に記載の警報装置をシャッターケース内に掛着させて取付けたことを特徴とする警報装置付シャッターケース。
【発明の詳細な説明】
【技術分野】
【０００１】
本発明は、シャッターにおけるシャッターケース内に取付けられる警報装置の構造と、前記警報装置が設けられたシャッターケースに関するものである。  
【背景技術】
【０００２】
威嚇、防犯等の目的のためシャッターケース７８内に、警報ブザー７１と取付部材７２とから成る警報装置７０を取付ける場合、従来は図１に示すような、シャッターケース７８内の下部にある横部材である下まぐさ７５に、取付部材を螺子７４で固定する方法が知られていた。しかし、この固定方法では、下まぐさに螺子７４で取付部材７２を固定するため、取付けが容易でないことから、シャッターケース７８内のメンテナンスの妨げとなった。また、シャッターケース７８の前側カバー７６と近接することにより音量が減衰するため、および、警報ブザー７１とシャッタースラットが通過するシャッターケース下部に位置する開口部７７（以下まぐさ開口部という）との間には、警報装置７０の取付部材７２のブラケット７３が配設されて警報音を遮っているため、警報音が十分に外部に伝わらないという問題があった。
【０００３】
また、警報ブザー７１をシャッタースラットの巻き込みと共に浸入した雨水から防ぐために、取付部材７２とは別に警報ブザー７１を保護するためのカバーを設置するか、防水性のある警報装置使用しなければならず、そのため、取付けるスペースを確保するためシャッターケースを大きくしたり、コスト高になるなどといった問題も生じていた。
【発明の開示】
【発明が解決しようとする課題】
【０００４】
本発明は、シャッターケース内に取付けられる警報装置であって、取付工具を特段必要とせず、容易にシャッターケース内に取付けることができて、しかも、警報ブザーを雨水等から防ぐことができる警報装置と、前記警報ブザーの音量を充分に確保し、外部に伝わることができる構造のシャッターケースを提供することを目的とするものである。
【課題を解決するための手段】
【０００５】
かかる課題を達成するために本発明が採用した技術手段は、シャッターケース内に設けられる警報装置であって、前記警報装置は、警報ブザーと前記警報ブザーを取付けるための取付部材とから成り、前記取付部材は、前記シャッターケース内に掛着させるフック部と、警報ブザーを雨水から防ぐ雨水防御壁とを有することを特徴とする警報装置である。
【０００６】
ひとつの好ましい態様では、前記フック部は、先端部片と上部片と支持片とから成る略コの字形状部を有していることを特徴とする警報装置である。
【０００７】
ひとつの好ましい態様では、前記警報ブザーとシャッターケース内の巻取りシャフトとの間に前記雨水防御壁を設けて、かつ、前記警報ブザー下方側から、シャッタースラットが通過するシャッターケース下部に位置する開口部までとの間には前記警報ブザーの警報音が通るための空間部を形成して、前記いずれか記載の警報装置をシャッターケース内に掛着させて取付けたことを特徴とする警報装置付シャッターケースである。
【発明の効果】
【０００８】
本発明の請求項１では、シャッターケース内に設けられる警報装置であって、前記警報装置は、警報ブザーと前記警報ブザーを取付けるための取付部材とから成り、前記取付部材は、前記シャッターケース内に掛着させるフック部と、警報ブザーを雨水から防ぐ雨水防御壁とを有することを特徴とするため、警報装置の取付けに際し、特段の取付工具の必要がなく、容易に警報装置を取付けることができ、また、警報ブザーに防水性が無い場合でも、警報ブザーを雨水の浸入から守ることができる。請求項２では、前記取付部材のフック部をシャッターケース内に設けるための構造は、先端部片と上部片と支持片とから成る略コの字形状部であることを特徴とするため、リベットや螺子等でシャッターケース内の横部材等に固定する必要がなくコストが削減できると共に、取付け・取外しが容易であるためにメンテナンスを容易にすることができる。
【０００９】
さらに、請求項３では、前記警報ブザーとシャッターケース内の巻取りシャフトとの間に前記雨水防御壁を設けて、かつ、前記警報ブザー下方側から、シャッタースラットが通過するシャッターケース下部に位置する開口部までとの間には前記警報ブザーの警報音が通るための空間部を形成して、請求項１または請求項２のいずれか１項に記載の警報装置をシャッターケース内に掛着させて取付けたことを特徴とするシャッターケースであるため、シャッタースラット表面に付いた雨水がシャッターケース内部に浸入してきても、雨水防御壁が雨水を遮って警報ブザーを雨水から守ることができる。また、警報装置をシャッターケース内に掛着させて取付けているので、警報音を遮る取付部材のブラケット等が警報ブザーの下方側に配設されていないことから、警報音が十分に外部に伝わり、音量の小さい警報ブザーでも警報装置として機能することができる。
【発明を実施するための最良の形態】
【００１０】
図２は本発明に係る警報装置の取付部材が取付くシャッター装置１の正面図である。シャッター装置１は、複数の横長状の板材から成り、該板材同士を回動自在に連結する連結手段（図示せず）を備えているシャッタースラット６により構成されて開口部を上下動することにより開口部を開放・閉鎖するシャッターカーテン２と、開口部左右に立設されてシャッターカーテン２の左右端部をガイドするガイドレール３と、シャッターカーテン２が吊持されて、シャッターカーテン２を巻き取るための巻取シャフト４および開口部全開時に巻取シャフト４に巻き取られるシャッターカーテン２を収納するシャッターケース５と、前記巻取シャフト４を支持するためにシャッターケースの側面に位置する一対のサイドブラケット７、および、シャッターカーテン２の下部に位置する座板８とから成る。
【００１１】
図３はシャッターケース５の縦断面図である。シャッターケース５は、シャッターカーテン２やシャッターカーテン２を上下動させるための開閉機などの駆動手段（図示せず）、および、チェーンやスプロケットなどの伝達手段（図示せず）等を収納し、また、それらを雨水等の外部環境から保護することを主な目的としている。シャッターケース５は、風圧などの外部荷重と、前期シャッターカーテン２、駆動手段、伝達手段やその他部品の自重とを支えると共に、シャッターケース全体の形状を保持するための強度材である複数の横材１０と、シャッターケース５の外部と内部を遮って前記駆動手段や前記伝達手段を雨水等から保護するためのケース板２０、および、シャッターケース５下部に位置しシャッタースラット６の通過口であり座板８の上限位置を定めるまぐさ開口部２５を備えている。
【００１２】
前記横材１０は一対のサイドブラケット７に両端を支持されており、シャッターケース５の前面上部側に位置して、シャッターケース５の上部に位置する上部ケース板２１の前面側と、シャッターケース５の前面に位置する前面ケース板２２の上部側を支持する上部前側横材１１と、シャッターケース５の上部躯体側に位置して、上部ケース板２１の躯体側を支持する上部躯体側横材１２と、シャッターケース５の前面下部に位置して、前記前面ケース板２２の下部側と、シャッターケース５の前面側下部に位置する前面側下部ケース板２３の前面側を支持する下部前側横材１３と、シャッターケース５の下部躯体側に位置して、下部躯体側に位置する下部躯体側ケース板２４の躯体側を支持する下部躯体側横材１４、とから成る。上部ケース板２１は、上部前側横材１１に対して数本の螺子で固定している。従って、上部ケース２１前面側の螺子止めされてない部位は、上部ケース２１をシャッターケース５の内部側から押した場合に、上部ケース板２１と上部前側横材１１との間に警報装置３０のフック部４５が上部前側横材１１に掛着できるスペースが確保できる構造となっている。前記横材１０の形状は、シャッターケース５や前記部品等の重量および風圧荷重を支持できる形状であればよいが、製作容易でありコストがかからないことから略コの字であれば尚よい。
【００１３】
図４は、本発明に係る警報装置３０の正面図、側面図を示す。警報装置３０は、警報ブザー３１と前記警報ブザー３１を取付けるための取付部材４０とを備えており、警報ブザー３１は防水性を有していても良いが、防水性を有していないものでも良い。警報ブザー３１は警報音を発生させるブザー本体３２とブザー本体３２への電源供給をするケーブル部材３３を備えており、シャッター装置に付属の警報センサー（図示せず）により、不審者等の侵入を検知した場合には、ケーブル部材３３を通じて電源が供給され警報音が発生する。警報ブザー３１は、後述する取付部材４０の固定部４１の略中央に空けられた取付穴４４を介して螺子３４で取付部材４０の固定部４１に固定される。
【００１４】
図５は、前記取付部材４０の正面図、側面図、上面図、下面図を示す。前記取付部材４０は、１．２ｍｍのスチール材を折り曲げて形成しており、警報ブザー３１が取付く固定部４１と、前記シャッターケース内の横部材１０に掛着するために前記固定部上端部に位置するフック部４５と、警報ブザー３１を雨水等から防ぐために前記固定部４１の左右両端部を前記固定部４１に取付いた警報ブザー３１側にそれぞれ起曲した一対の垂直面部４２を備えており、前記固定部４１と一対の垂直面部４２が本発明における雨水防御壁４３に該当する。また、固定部４１の略中央には警報ブザー３１を取付けるための取付穴４４が空けられている。実施形態においては、１．２ｍｍのスチール材を折り曲げて形成したが、アルミ等の非鉄金属を折り曲げて形成したもの、アルミや樹脂による成型で形成したものでもよい。警報ブザー３１は、取付部材４０の固定部４１の略中央に空けられた取付穴４４を介して、警報音出力面３５の反対面を固定部４１に対向させ、固定部４１の一対の垂直面部４２が起曲する側の面４１aに螺子３４で固定される。
【００１５】
警報ブザー３１は、取付部材４０の固定部４１と一対の垂直面部４２に覆われる形で取付部材４０に固定されるので、警報装置３０を前記警報ブザー３１とシャッターケース５内の巻取りシャフト４との間に雨水防御壁４３が配設されるようにシャッターケース内５に取付けた場合、取付部材４０の警報ブザー３１が固定されている面４１ａの反対側の面４１ｂから雨水等がかかっても、取付部材４０および一対の垂直面部４２とから成る雨水防御壁４３が雨水を遮って警報ブザー３１を雨水から守ることができる。一対の垂直面部４２は、警報装置３０がシャッターケース５のサイドブラケット付近に取付けられるなどして、雨水のかかる方向が限定される場合には、前記固定部４１の片側端部を起曲したものでもよい。一対の垂直面部４２のどちらか一方の下部には、ケーブル部材３３を固定するためのケーブル固定用穴４９が空けられており、結束バンド等でケーブル部材３３を固定することができる。
【００１６】
また、前記フック部４５は、先端部片４６と上部片４７と支持片４８とから成る略コの字形状部を有しており、先端部片４６は上部片４７の一端側に支持されており、上部片４７の他端側は支持片４８に支持され、支持片４８は固定部４１の一部であり上縁部に位置する。フック部４５の見込断面方向における先端部片４６と支持片４８との内寸法は、フック部４５を掛着する横部材１０の見込寸法よりも大きく設定されているため、警報装置３０をシャッターケース５内の横部材１０に掛着して固定することができるので、リベットや螺子等で横部材１０に固定する必要がなく、取付け・取外しが容易である。
【００１７】
図６は、警報装置３０がシャッターケース５内の横材１０に固定されている態様を示す。警報装置３０は、警報装置３０に取付けられた警報ブザー３１の警報音出力面３５がシャッターケース正面の正面ケース板２２に対向すると共に、警報音が減衰することがないように、警報ブザー３１と正面ケース板２２との間にも第二空間部２７を形成し、また、前記警報ブザー３１とシャッターケース内の巻取りシャフト４との間に前記雨水防御壁４３が設けられるように、シャッターケース５内の巻取りシャフト４前方側に位置する上部前側横部材１１に掛着されてシャッターケース５に固定されている。上部ケース板２１は、上部前側横材１１に対しては数本の螺子で固定しているので、上部ケース２１前面側の螺子止めされてない部位をシャッターケース５の内部側から押して、上部ケース板２１を多少変形させれば、上部ケース板２１と上部前側横材１１との間にスペースが確保でき、警報装置３０のフック部４５を上部前側横材１１に掛着することができる。警報ブザー３１の警報音出力面は正面ケース板２２に対向して、しかも、警報音が減衰することがないように警報ブザー３１と正面ケース板２２との間にも第二空間部２７を形成していることから警報音が外部に伝わり易く、警報ブザー本来の音量を確保することができる。また、警報ブザー３１と巻取りシャフト４に巻装されたシャッタースラット６との間には、取付部材４０の固定部４１が位置しており、しかも、一対の垂直面部４２が警報ブザー３１を覆うような形に配置されているので、固定部４１と一対の垂直部材４２が雨水を遮って警報ブザー３１を雨水から守ることができる。さらに、前記警報装置３０に取付けられた警報ブザー３１下方側からシャッタースラット６が通過するシャッターケース下部に位置するまぐさ開口部２５までとの間には、警報ブザー３１の警報音が通るための空間部２６が設けられている。従って、警報ブザー３１下方側と、シャッタースラット６が通過するシャッターケース下部に位置するまぐさ開口部２５との間には、従来例のような、警報ブザー３１の音を遮るブラケット等の部材がないので、警報ブザー３１の警報音がまぐさ開口部２５を通り抜けて、外部に到達することができる。尚、警報音出力面３５が下方向に向いている場合、前記第二空間部２７は形成する必要がなく、前記警報装置３０に取付けられた警報ブザー３１下方側からシャッタースラット６が通過するシャッターケース下部に位置するまぐさ開口部２５までとの間には、警報ブザー３１の警報音が通るための空間部２６が設けられていればよい。
【００１８】
図７は、取付部材４０の他の実施例を示す。図７において、固定部４１と一対の垂直面部４２の構成は既述の実施形態と同じなので詳細な説明は省略する。また、明細書を通して同じ構成部品については同じ番号が付されている。他の実施例において、前記フック部５３は、先端部片５５、上部片５６、支持片５７とから成り、支持片５７は上部片５６の一端側を支持する支持垂直片部５８と、固定部４１の上縁で支持される支持水平片部５９とから成る略L字形状である。先端部片５５は上部片５６の他端側に支持されている。上部片５６の見込断面寸法、すなわち、先端部片５５と支持垂直片部５８の内寸法はフック部５３を掛着する横部材１０の見込寸法よりも大きく設定されている。先端部片５５は、先端部片５５と上部片５６のなす角度は直角より小さい鋭角であって、先端部片５５の長さは、警報装置３０が係着するコの字状に形成された横部材１０の板厚より僅かに長くしてあり、上部片５６と支持垂直片部５８の支持点から先端部片５５の先端までの寸法が、フック部５３を掛着する前記コの字状に形成された横部材１０の見込寸法よりも僅かに小さくなるように設定されている。支持垂直片部５８の見込断面寸法、すなわち、上部片５６と支持水平片部５８の内寸法はフック部５３を掛着する前記コの字状に形成された横部材１０の見付寸法よりも大きく設定されている。従って、警報装置３０をシャッターケース内の横部材１０に掛着して固定することができるので、リベットや螺子等で横部材１０に固定する必要がなく、取付け・取外しが容易である。また、先端部片５５は、先端部片５５と上部片５６のなす角度は直角より小さい鋭角であり、先端部片５５の長さは、警報装置３０が係着するコの字状に形成された横部材１０の板厚より僅かに長くして、上部片５６と支持垂直片部５８の支持点から先端部片５５の先端までの寸法が、フック部５３を掛着する前記コの字状に形成された横部材１０の見込寸法よりも僅かに小さくなるように設定されていることから、シャッターケース内の横部材１０に掛着した警報装置３０が、容易に横部材１０から外れないようになっている。尚、先端部片５５の長さが十分長ければ、先端部片５５と上部片５６のなす角度は略直角であってもよい。
【産業上の利用可能性】
【００１９】
本発明は、シャッター装置のシャッターケース内に設けられる警報装置に利用することができる。
【図面の簡単な説明】
【００２０】
【図１】シャッター装置のシャッターケース内に設けられた従来例の警報装置である。
【図２】シャッター装置全体の概略図である。
【図３】シャッター装置上部に設けたシャッターケースの縦断面図である。
【図４】本発明に係る警報装置であって、正面図、側面図を示している。
【図５】本発明に係る警報装置の一部である取付部材の正面図、側面図、上面図、下面図を示す。
【図６】本発明に係る警報装置が、シャッターケース内に、掛着されて固定されたシャッターケースの縦断面図を示す。
【図７】本発明に係る警報装置の一部である他の実施例の取付部材の正面図、側面図、上面図、下面図を示す。
【図８】本発明に係る警報装置の一部である他の実施例の取付部材による警報装置が、シャッターケース内に、掛着されて固定されたシャッターケースの縦断面図を示す。
【符号の説明】
【００２１】
５  シャッターケース
２５  シャッターケースに位置する開口部（まぐさ開口部）
２６  警報ブザーの音が通るための空間部
３０  警報装置
３１  警報ブザー
３５  警報音出力面
４０  取付部材
４１  固定部
４２  垂直面部
４５  フック部
４６  先端部片
４７  上部片
４８  支持片
５５  先端部片
５６  上部片
５７  支持片
【図１】
2006283351.tif 000003
【図２】
2006283351.tif 000004
【図３】
2006283351.tif 000005
【図４】
2006283351.tif 000006
【図５】
2006283351.tif 000007
【図６】
2006283351.tif 000008
【図７】
2006283351.tif 000009
【図８】
2006283351.tif 000010